(57)【要約】【課題】機器へ装着操作性が良いアクセサリを提供する。【解決手段】機器用アクセサリ３００は、雌ねじ部２０５を有する機器２００に取り外し可能に取り付けられる。アクセサリは、アクセサリ本体３０２に対して回転が可能であり、雌ねじ部に螺合可能な雄ねじ部を有するねじ部材３０５と、回転操作されることでねじ部材を回転させる操作部材３０４とを有する。アクセサリ本体は、ねじ軸方向にて機器に当接する当接部３０２ａと、機器に設けられた係合部２０４ｂに係合してアクセサリ本体の機器に対する回転を阻止する回転阻止部３０２ｂとを有する。操作部材は、アクセサリ本体に対して定位置にて回転可能に保持され、ねじ部材の操作部材およびアクセサリ本体に対するねじ軸方向への移動を許容する。ねじ部材は、ねじ軸方向のうち雄ねじ部の雌ねじ部への挿入側に向かって付勢部材３０６により付勢される。【選択図】図７
2013231752.tif 000002
【特許請求の範囲】
【請求項１】
雌ねじ部を有する機器に取り外し可能に取り付けられる機器用アクセサリであって、
アクセサリ本体と、
該アクセサリ本体に対して回転が可能であり、前記雌ねじ部に螺合が可能な雄ねじ部を有するねじ部材と、
前記アクセサリ本体により回転可能に保持され、回転操作されることで前記ねじ部材を回転させる操作部材とを有し、
前記ねじ部材の軸方向をねじ軸方向とするとき、
前記アクセサリ本体は、前記ねじ軸方向にて前記機器に当接する当接部と、前記機器に設けられた係合部に係合して該アクセサリ本体の該機器に対する回転を阻止する回転阻止部とを有し、
前記操作部材は、前記アクセサリ本体に対して前記ねじ軸方向における定位置にて回転可能に保持され、前記ねじ部材の該操作部材および前記アクセサリ本体に対する前記ねじ軸方向への移動を許容するように形成されており、
前記ねじ部材は、前記ねじ軸方向のうち前記雄ねじ部の前記雌ねじ部への挿入側に向かって付勢部材により付勢されていることを特徴とする機器用アクセサリ。
【請求項２】
前記アクセサリ本体において、前記回転阻止部が少なくとも前記ねじ部材を間に挟んだ両側に設けられていることを特徴とする請求項１に記載の機器用アクセサリ。
【請求項３】
前記機器に設けられた前記係合部は凹部であって、前記アクセサリ本体に設けられた前記回転阻止部は前記凹部への挿入が可能な凸部であり、
前記凸部は、前記凹部への挿入方向の先端に向かって幅が狭くなる形状を有することを特徴とする請求項１または２に記載の機器用アクセサリ。
【発明の詳細な説明】
【技術分野】
【０００１】
本発明は、光学機器や電子機器等の各種機器に装着されるアクセサリに関する。
【背景技術】
【０００２】
光学機器や電子機器の１つであるデジタルカメラのうちレンズ交換型カメラには、交換レンズに対して又は交換レンズとカメラとの間に挿入されるアダプタに対して、三脚固定用の着脱可能なアクセサリである三脚座が用意される場合がある。この三脚座を含むアクセサリは、交換レンズやアダプタに対して着脱される際の操作性が良いことが求められる。
【０００３】
特許文献１には、回転操作用リングと雄ねじ部を有するねじ部材とが、機器に着脱可能なケースにより保持されたアクセサリが開示されている。このアクセサリでは、回転操作用リングが回転操作されると、ねじ部材がケースに対して進退しながら回転し、該ねじ部材の雄ねじ部が機器に設けられた雌ねじ部に螺合する。これにより、ケース（つまりはアクセサリ）が機器に固定される。
【先行技術文献】
【特許文献】
【０００４】
【特許文献１】特開２００８−０９０２５５号公報
【発明の概要】
【発明が解決しようとする課題】
【０００５】
しかしながら、特許文献１にて開示されたアクセサリでは、ねじ部材の雄ねじ部をケースから突出させた状態で機器側の雌ねじ部に位置合わせをし、その後にねじ部材を回転操作することでケースが機器にはじめて当接してアクセサリを安定させることができる。このため、アクセサリが安定するまでは不安定な状態でねじ部材を回転操作しなければならなかったり、ねじ部材の突出量を少なくしておくために予めねじ部材を締め込み方向とは反対方向に回転操作しておく必要があったりして、装着操作性が良くない。
そこで、本発明は、機器へ装着操作性が良いアクセサリを提供する。
【課題を解決するための手段】
【０００６】
本発明の一側面としての機器用アクセサリは、雌ねじ部を有する機器に取り外し可能に取り付けられる。該アクセサリは、アクセサリ本体と、該アクセサリ本体に対して回転が可能であり、雌ねじ部に螺合可能な雄ねじ部を有するねじ部材と、アクセサリ本体により回転可能に保持され、回転操作されることでねじ部材を回転させる操作部材とを有する。ねじ部材の軸方向をねじ軸方向とするとき、アクセサリ本体は、ねじ軸方向にて機器に当接する当接部と、機器に設けられた係合部に係合して該アクセサリ本体の該機器に対する回転を阻止する回転阻止部とを有する。そして、操作部材は、アクセサリ本体に対してねじ軸方向における定位置にて回転可能に保持され、ねじ部材の該操作部材およびアクセサリ本体に対するねじ軸方向への移動を許容するように形成される。さらに、ねじ部材は、ねじ軸方向のうち雄ねじ部の雌ねじ部への挿入側に向かって付勢部材により付勢されていることを特徴とする。
【発明の効果】
【０００７】
本発明では、ねじ部材は回転しなくてもアクセサリ本体に対してねじ軸方向に進退することができるので、ねじ部材がアクセサリ本体から突出したまま当接部を機器に当接させることで、ねじ部材はアクセサリ本体内に退避する。そして、操作部材をねじ部材の締め込み方向に回転操作すればねじ部材（雄ねじ部）は付勢部材によって機器（雌ねじ部）側に付勢されながら回転して雌ねじ部に螺合し、機器にアクセサリが固定される。このように、本発明によれば、機器への装着操作性が良いアクセサリを実現することができる。
【図面の簡単な説明】
【０００８】
【図１】本発明の実施例である三脚座が取り付けられるカメラシステムの分解斜視図。
【図２】実施例の三脚座が取り付けられるアダプタの斜視図。
【図３】実施例の三脚座の斜視図。
【図４】実施例の三脚座の分解斜視図。
【図５】実施例の三脚座の一部である操作部材の斜視図。
【図６】実施例の三脚座の一部である雄ねじ部材の斜視図。
【図７】実施例の三脚座の断面図。
【図８】実施例の三脚座とこれが取り付けられる直前のアダプタの断面図。
【図９】実施例の三脚座とこれが取り付けられたアダプタの断面図。
【図１０】従来の三脚座とこれが取り付けられたアダプタおよびカメラの斜視図。
【発明を実施するための形態】
【０００９】
以下、本発明の実施例について図面を参照しながら説明する。
【００１０】
図１には、本発明の実施例である機器用アクセサリとしての三脚座が取り外し可能に取り付けられるアダプタ（機器）を含むカメラシステムを分解して示している。三脚座には、不図示の三脚が取り付けられるだけでなく、一脚も取り付け可能である。
【００１１】
図１において、レンズ交換型のデジタルカメラ（カメラ本体）４００には、アダプタ（機器）２００を介して交換レンズ１００が取り付けられる。アダプタ２００は、カメラ本体４００と交換レンズ１００との間にマウント径の相違や電力授受および通信を行うための電気接点部の相違がある場合に、それらの間に介在して、カメラ本体４００に対する交換レンズ１００の使用を可能とする。
【００１２】
具体的には、アダプタ２００のレンズ側マウント２０１には、交換レンズ１００のマウント１０１が取り外し可能に装着される。レンズ側マウント２０１の内側には、交換レンズ１００のマウント１０１の内側に設けられた電気接点部と接触するレンズ側接点部２０２が設けられている。アダプタ２００に交換レンズ１００が装着されると、交換レンズ１００の電気接点部がアダプタ２００のレンズ側接点部２０２に接触する。また、図２に示すように、アダプタ２００のカメラ側マウント２０３は、カメラ本体４００のマウント４０１に取り外し可能に着脱される。さらに、カメラ側マウント２０３の内側には、カメラ本体４００のマウント４０１の内側に設けられた電気接点部４０２と接触するカメラ側接点部が設けられている。アダプタ２００がカメラ本体４００に装着されると、アダプタ２００のカメラ側接点部がカメラ本体４００の電気接点部４０２に接触する。こうして、アダプタ２００を介してカメラ本体４００と交換レンズ１００との間で電力授受および通信が可能となる。
【００１３】
さらに、アダプタ２００は、カメラ本体４００のフランジバックと交換レンズ１００で設定されているフランジバックとに不適合がある場合に、カメラ本体４００と交換レンズ１００の間に介在して交換レンズ１００のフランジバックをカメラ本体４００に適合させる。これにより、交換レンズ１００の像面とカメラ本体４００に設けられた撮像素子（図示せず）の撮像面とが一致し、交換レンズ１００を使用してカメラ本体４００での撮影が可能となる。以下の説明において、交換レンズ１００に入射した光が、交換レンズ１００、アダプタ２００およびカメラ本体４００内を進む方向を光軸方向という。
【００１４】
アダプタ２００は、後述する三脚座３００のアダプタ当接部材３０２と当接する三脚座当接部材２０４を有する。この三脚座当接部材２０４には、インサートねじ（ヘリサート（登録商標））であるアダプタ雌ねじ部材（雌ねじ部）２０５が固定されている。本実施例では、アダプタ雌ねじ部材２０５を三脚座当接部材２０４に固定しているが、雌ねじが形成された部品を三脚座当接部材２０４にビス等により固定して雌ねじ部を設けてもよい。また、三脚座当接部材２０４にタップ加工により雌ねじを形成することで雌ねじ部を設けてもよい。
【００１５】
三脚座当接部材２０４は、三脚座当接面２０４ａ、回転阻止凹部（係合部）２０４ｂおよび弾性部材当接部２０４ｃを有する。三脚座当接面２０４ａは、アダプタ雌ねじ部材２０５の周囲を囲むように形成された平面であり、ここには三脚座３００のアダプタ当接部材３０２に設けられたアダプタ当接面（当接部）３０２ａが当接する。
【００１６】
回転阻止凹部２０４ｂは、アダプタ雌ねじ部材２０５を間に挟んだ両側に１つずつ形成されており、その内側には三脚座３００のアダプタ当接部材３０２に設けられた回転阻止突起（凸部としての回転阻止部）３０２ｂが挿入される。回転阻止凹部２０４ｂとこれに挿入された回転阻止突起３０２ｂとがアダプタ雌ねじ部材２０５の周方向（以下、ねじ周方向という）にて係合することで、該ねじ周方向における三脚座３００のアダプタ２００に対する回転が阻止される。
【００１７】
回転阻止凹部２０４ｂは、その奥行き方向（回転阻止突起３０２ｂの挿入方向）における先端に向かって、光軸方向に直交する面内での幅が狭まる形状を有する。つまり、幅方向の両側が奥行き方向に対して傾いた斜面により形成されている。一方、回転阻止突起３０２ｂも、回転阻止凹部２０４ｂへの挿入方向における先端に向かって、光軸方向に直交する面内での幅が狭まる形状を有する。つまり、幅方向の両側が挿入方向に対して傾いた斜面により形成されている。回転阻止突起３０２ｂの両側の斜面がなす角度は、回転阻止凹部２０４ｂの両斜面のなす角度とほぼ同じ角度である。
【００１８】
回転阻止凹部２０４ｂと回転阻止突起３０２ｂをこのような形状に形成することで、回転阻止凹部２０４ｂと回転阻止突起３０２ｂとの光軸周りでの位相が多少ずれていた場合でも、容易に回転阻止突起３０２ｂを回転阻止凹部２０４ｂに挿入することができる。
【００１９】
弾性部材当接部２０４ｃも、アダプタ雌ねじ部材２０５を間に挟んだ両側に１つずつ形成されている。各弾性部材当接部２０４ｃは、光軸方向に並ぶ一対の凹部により形成されており、ここには三脚座３００のアダプタ当接部材３０２に固定された弾性部材３０１が当接し、さらに変形して入り込む。これにより、アダプタ２００に三脚座３００が固定された状態でのアダプタ２００と三脚座３００との間のガタつきを低減することが可能となる。
【００２０】
次に、三脚座３００について、図３〜図７を用いて説明する。図３には、三脚座３００の全体を示し、図４には三脚座３００を分解して示している。また、図５および図６にはそれぞれ、三脚座３００に用いられる操作部材３０４と雄ねじ部材３０５を示している。さらに、図７には、三脚座３００を後述するねじ軸方向に沿って切断したときの該三脚座３００の断面を示している。
【００２１】
三脚座３００は、弾性部材３０１と、アダプタ当接部材３０２と、ワッシャー３０３と、操作部材３０４と、雄ねじ部材３０５と、ばね（付勢部材）３０６と、三脚座雌ねじ部材３０７と、三脚当接部材３０８とにより構成される。
【００２２】
アダプタ当接部材３０２は、三脚座本体（アクセサリ本体）の一部を構成し、その上面には前述したアダプタ当接面３０２ａと、その両側に配置された２つの回転阻止突起３０２ｂとを有する。アダプタ当接面３０２ａの中央（２つの回転阻止突起３０２ｂの間）には、雄ねじ部材３０５が貫通する円形の開口部と、円形凹形状の嵌合部３０２ｃが形成されている。嵌合部３０２ｃの内周には、図７に示すように操作部材３０４の中央に設けられた中空の円筒部３０４ｄが嵌まり込む。こうして、操作部材３０４は、アダプタ当接部材３０２（および後述する三脚当接部材３０８と三脚座雌ねじ部材３０７）により、雄ねじ部材３０５の周方向（前述したねじ周方向と同じ）に、かつ雄ねじ部材３０５の軸方向にて定位置で回転可能となる。雄ねじ部材３０５の軸方向は、前述したアダプタ雌ねじ部材２０５の軸方向でもあり、以下、ねじ軸方向という。
【００２３】
操作部材３０４の上面における円筒部３０４ｄの周囲とアダプタ当接部材３０２との間には、操作部材３０４の回転をスムーズにするために、ワッシャー３０３が配置されている。
【００２４】
また、アダプタ当接部材３０２の上面におけるアダプタ当接面３０２ａ（開口部３０２ｃ）の両側にはそれぞれ、弾性部材３０１が接着剤により固定されている。弾性部材３０１はゴムにより形成されている。
【００２５】
図５に示すように、操作部材３０４は、ユーザにより回転操作される円筒形状の操作部３０４ａと、該操作部３０４ａよりも径が小さい前述した円筒部３０４ｄとを有する。円筒部３０４ｄの内周面には、２つの曲面部分３０４ｂと２つの平面部分３０４ｃとが形成されている。つまり、円筒部３０４ｄの内周面は、ねじ軸方向から見たときに、２つの平面部分３０４ｃによって形成される２本の直線の間に、２つの曲面部分３０４ｂによって形成される２本の円弧が延びる非円形形状を有する。さらに、円筒部３０４ｄの上端には、雄ねじ部材３０５が貫通する円形の開口部をもった平面部３０４ａが形成されている。
【００２６】
図６に示すように、雄ねじ部材３０５は、操作部材３０４の円筒部３０４ｄの内周に嵌まり込む大径部３０５ｅと、該大径部３０５ｅから上方（ねじ軸方向）に延びる雄ねじ部３０５ｄとを有する。雄ねじ部３０５ｄは、アダプタ２００のアダプタ雌ねじ部材２０５に螺合することが可能である。
【００２７】
大径部３０５ｅの外周面には、２つの曲面部分３０５ｂと２つの平面部分３０５ｃとが形成されている。つまり、大径部３０５ｅの外周面は、ねじ軸方向から見たときに、２つの平面部分３０５ｃによって形成される２本の直線の間に、２つの曲面部分３０５ｂによって形成される２本の円弧が延びる非円形形状を有する。大径部３０５ｅの上面（雄ねじ部３０５ｄを囲む円環面）３０５ａは平面として形成されている。
【００２８】
このように形成された雄ねじ部材３０５の大径部３０５ｅは、その外周面と同一形状に形成された内周面を有する操作部材３０４の円筒部３０４ｄ内に、曲面部分３０５ｂ，３０４ｂ同士と平面部分３０５ｃ，３０４ｃ同士が互いに当接するように嵌まり込む。つまり、それぞれねじ軸方向視において非円形形状を有するように形成された雄ねじ部材３０５の大径部３０５ｅと操作部材３０４の円筒部３０４ｄとが、互いの位相が合うように嵌まり合う。このような非円形形状同士の嵌まり合いにより、操作部材３０４をねじ軸回りで回転操作すると、雄ねじ部材３０５が操作部材３０４とねじ軸回りで一体回転する。一方、雄ねじ部材３０５は、操作部材３０４に対してねじ軸方向に独立して（回転していても回転していなくても）移動可能である。このため、雄ねじ部材３０５の雄ねじ部３０５ｄは、図３および図７に示すようにアダプタ当接部材３０２の開口部３０２ｃを貫通してアダプタ当接面３０２ａよりも上方に突出した状態と、アダプタ当接面３０２ａよりも下方に退避した状態とに進退可能である。
【００２９】
なお、本実施例で説明した操作部材３０４と雄ねじ部材３０５とが嵌まり合う部分の形状は例に過ぎず、それぞれに設ける平面部分と曲面部分を１つずつとして（ねじ軸方向視においてＤ形状となるようにして）、非円形形状同士の嵌まり合いとしてもよい。また、操作部材３０４と雄ねじ部材３０５のうち一方にねじ軸方向に延びるように設けたキー部を、他方にねじ軸方向の延びるように設けた溝部に挿入することで、非円形形状同士の嵌まり合いとしてもよい。つまり、操作部材と雄ねじ部材とがねじ周方向に一体回転し、かつ雄ねじ部材の操作部材に対するねじ軸方向への独立した移動が許容されればよい。
【００３０】
三脚当接部材３０８は、アダプタ当接部材３０２にビスにより固定されてアダプタ当接部材３０２と一体化される。また、図４に示すように、三脚当接部材３０８の上面には、三脚座雌ねじ部材３０７がビスにより固定される。つまり、アダプタ当接部材３０２と三脚当接部材３０８と三脚座雌ねじ部材３０７とが一体に結合されて、三脚座本体（アクセサリ本体）を構成する。そして、この三脚座本体の内部に操作部材３０４を配置することで、前述したようにアダプタ当接部材３０２の嵌合部３０２ｃの内周に操作部材３０４の円筒部３０４ｄが嵌まり込み、操作部材３０４はねじ軸方向での定位置にて回転可能に保持される。不図示の三脚を三脚座３００に固定する際には、三脚当接部材３０８に三脚のクイックシューを当接させ、該クイックシューに設けられた雄ねじ部材を三脚座雌ねじ部材３０７に螺合させる。
【００３１】
コイルばねにより構成されるばね３０６は、操作部材３０４の円筒部３０４ｄの内側における三脚座雌ねじ部材３０７と雄ねじ部材３０５との間に配置され、雄ねじ部材３０５を図３および図７に示すようにアダプタ当接面３０２ａよりも上方に突出する方向に付勢する。アダプタ当接面３０２ａよりも上方に突出する方向は、ねじ軸方向のうち雄ねじ部３０５ｄのアダプタ雌ねじ部材２０５への挿入側の方向に相当する。
【００３２】
次に、三脚座３００のアダプタ２００への着脱方法と、着脱時の各部材の動きについて図７〜図９を用いて説明する。図７に示すように、三脚座３００がまだアダプタ２００に対して全く取り付けられていない状態では、雄ねじ部材３０５はばね３０６の付勢力によってアダプタ当接部材３０２（アダプタ当接面３０２ａ）から突出している。この状態で操作部材３０４を回転操作すると雄ねじ部材３０５は操作部材３０４と一体となって回転するが、雄ねじ部材３０５はばね３０６の付勢力によって常にアダプタ当接面３０２ａから突出した状態に維持される。
【００３３】
図８には、三脚座３００のアダプタ当接面３０２ａをアダプタ２００の三脚座当接面２０４ａに当接させた状態（ただし、まだ雄ねじ部材３０５の締め込み前）を示している。この状態に至る直前から、アダプタ雌ねじ部材２０５の下端部によって雄ねじ部材３０５の上端部が押され、雄ねじ部材３０５はばね３０６を圧縮しながら三脚座３００の内部（アダプタ当接面３０２ａより下方）に退避する。これは、雄ねじ部材３０５が、回転しなくても三脚座本体および操作部材３０４に対してねじ軸方向に移動可能だからである。そして、アダプタ２００の三脚座当接面２０４ａに対して三脚座３００のアダプタ当接面３０２ａが当接する。
【００３４】
また、このとき、三脚座３００の回転阻止突起３０２ｂは、その斜面によって、アダプタ２００の回転阻止凹部２０４ｂに向かってガイドされる。このため、三脚座３００のアダプタ２００に対する位置合わせが容易となる。
【００３５】
このように、三脚座３００がアダプタ２００に当接した際に雄ねじ部材３０５を三脚座３００内に退避させるために、本実施例では、操作部材３０４の内部に雄ねじ部材３０５が退避するためのスペースを確保している。これにより、三脚座３００の内部スペースを拡大しなくても雄ねじ部材３０５を三脚座３００内に退避させることができ、三脚座３００の大型化を回避できる。
【００３６】
なお、アダプタ２００を三脚座３００に乗せるようにしてこれらを組み合わせる場合には、アダプタ２００を三脚座３００に乗せるだけでアダプタ２００が三脚座３００に対してぐらつかず、安定した状態が得られることが好ましい。このため、雄ねじ部材３０５が退避した状態でのばね３０６の付勢力（最も圧縮された状態での付勢力）が、アダプタ２００の重量と雄ねじ部材３０５の重量との和よりも小さいことが望ましい。
【００３７】
また、アダプタ２００の上側に三脚座当接部材２０４が配置され、ここに三脚座３００を図７とは上下逆さにして装着する場合は、雄ねじ部材３０５にアダプタ２００の重量分の荷重がかからなくなる。このため、ばね３０６の付勢力によって三脚座３００にアダプタ２００から離れる力が働くが、三脚座３００とアダプタ２００を互いに近付ける方向にユーザが手で付勢する等することで装着が可能である。
【００３８】
図９には、三脚座３００をアダプタ２００に当接させた図８の状態から、操作部材３０４を雄ねじ部材３０５の締め込み方向（ねじ締め込み方向）に回転操作し、雄ねじ部材３０５の雄ねじ部３０５ｄをアダプタ雌ねじ部材２０５に螺合させた状態を示している。つなわち、三脚座３００とアダプタ２００とが固定された状態を示している。
【００３９】
図８の状態から操作部材３０４をねじ締め込み方向に回転操作すると、操作部材３０４と一体回転し、かつばね３０６の付勢力により付勢された雄ねじ部材３０５の雄ねじ部３０５ｄは、アダプタ雌ねじ部材２０５に対して回転しながら螺合していく。そして、雄ねじ部材３０５の大径部３０５ｅの上面３０５ａが、操作部材３０４の円筒部３０４ｄの上端の平面部３０４ａに当接すると、それ以上は操作部材３０４をねじ締め込み方向に回転させることができなくなる。これにより、アダプタ２００と三脚座３００とが強固に固定される。
【００４０】
こうしてアダプタ２００と三脚座３００が固定された状態から、操作部材３０４がねじ締め込み方向とは反対方向に回転操作されると、該操作部材３０４と一体回転する雄ねじ部材３０５は、ばね３０６を圧縮しながら三脚座３００の内部に退避していく。そして、雄ねじ部材３０５の雄ねじ部３０５ｄがアダプタ雌ねじ部材２０５から完全に抜けることで、三脚座３００がアダプタ２００から取り外される。
【００４１】
ここで、図１０には従来の三脚座５００の例を示している。この三脚座５００も、本実施例の三脚座３００と同様に、交換レンズ（図示せず）とカメラ５２０との間に挿入されるアダプタ５１０の外周に取り外し可能に取り付けられる。この三脚座５００では、アダプタ５１０の周方向の一部に三脚座本体５０１が配置され、その三脚座本体５０１に対してアダプタ５１０の周方向の片側にずれた位置に雄ねじ部材５０２が配置される。雄ねじ部材５０２は、アダプタ５１０の外周に設けられた雌ねじ部（図示せず）と螺合して、三脚座５００をアダプタ５１０に固定する。
【００４２】
しかし、この図１０に示す三脚座５００では、雄ねじ部材５０２が、アダプタ５１０との当接面を有する三脚座本体５０１に対してアダプタ５１０の周方向にずれた位置に設けられている。このため、三脚座５００の小型化が困難である。
【００４３】
これに対して、本実施例の三脚座３００は、三脚座本体における当接部としてのアダプタ当接面３０２ａの中央に雄ねじ部材３０５を配置し、さらに該雄ねじ部材３０５と同軸に操作部材３０４を配置している。このため、図１０の三脚座５００に比べて、小型化を図ることができる。なお、本実施例では、当接部としてのアダプタ当接面３０２ａを雄ねじ部材３０５の周囲を囲むように形成した場合について説明したが、当接部は少なくとも雄ねじ部材３０５を間に挟んだ両側に設けられればよい。
【００４４】
また、本実施例では、三脚座３００のアダプタ２００に対するねじ周方向への回転を阻止するために、アダプタ２００に回転阻止凹部２０４ｂを設け、三脚座３００に回転阻止突起（凸部）３０２ｂを設けた。しかし、アダプタに回転阻止凸部を設け、三脚座に回転阻止凹部を設けてもよい。
【００４５】
さらに、本実施例では、交換レンズ１００とカメラ本体４００との間に挿入されるアダプタ２００に対して三脚座３００が取り付けられる場合について説明した。しかし、本発明の他の実施例の三脚座は、交換レンズとカメラ本体の間に挿入されるエクステンダ（機器）に取り付けられてもよいし、交換レンズ（機器）やカメラ本体（機器）に取り付けられてもよい。しかも、本実施例では、機器用アクセサリとしての三脚座について説明したが、三脚座以外の機器用アクセサリ、例えばカメラ（機器）のストロボシューやマイクシューに取り付けられるストロボやマイクロフォンにも応用可能である。
【００４６】
また、アダプタ、交換レンズおよびカメラ本体といった撮像関係の光学機器だけでなく、各種電子機器に取り付けられるアクセサリも、本発明の他の実施例に含まれる。
【００４７】
以上説明した各実施例は代表的な例にすぎず、本発明の実施に際しては、各実施例に対して種々の変形や変更が可能である。
【産業上の利用可能性】
【００４８】
機器に対する装着操作性が良く、小型の三脚座等のアクセサリを提供できる。
【符号の説明】
【００４９】
２００  アダプタ
２０４ｂ  回転阻止凹部（係合部）
２０５  アダプタ雌ねじ部材
３００  三脚座
３０２  アダプタ当接部材（当接部）
３０２ａ  アダプタ当接面
３０２ｂ  回転阻止突起（回転阻止部）
３０４  操作部材
３０５  雄ねじ部材（雄ねじ部）
３０６  ばね（付勢部材）
【図１】
2013231752.tif 000003
【図２】
2013231752.tif 000004
【図３】
2013231752.tif 000005
【図４】
2013231752.tif 000006
【図５】
2013231752.tif 000007
【図６】
2013231752.tif 000008
【図７】
2013231752.tif 000009
【図８】
2013231752.tif 000010
【図９】
2013231752.tif 000011
【図１０】
2013231752.tif 000012